(57)【要約】【課題】高品質な画像の取得が可能であるとともにレンズの小型化、撮像装置のコンパクト化を可能にするレンズ鏡筒を提供する。【解決手段】物体側から第１レンズ３２、プリズム３０、第２レンズ５１、第３レンズ５２が配置される。第２、第３レンズ５１、５２は金属製の肉薄なレンズ保持枠５０によって保持される。プリズム保持枠２３には第１の光軸Ｌ１が通る第１開口２３ａ、第２の光軸Ｌ２が通る第２開口２３ｃが形成される。第１開口２３ａの下端部と第２開口２３ｃの前端部との間は切り抜かれている。プリズム３０はプリズム保持台座２３ｂに載置され、レンズ保持枠５０は第２開口２３ｃ内に組み込まれる。第１レンズは第１レンズ固定枠によって固定される。第２開口２３ｃの前側の端部からはレンズ保持枠５０の外周が露呈し、この露呈したレンズ保持枠５０の外周に第１レンズ３２の縁部が当接する。【選択図】        図６
2006091405.tif 000002
【特許請求の範囲】
【請求項１】
三角柱形状の直角プリズムが有する側面のうち、物体と対面する第１側面から光束を入射させ、前記第１側面と鋭角をなして連なる第２側面によって略直角な方向に反射された光束を前記第１側面と略直角をなして連なる第３側面から出射させ、前記第３側面から出射された光束を光電変換素子上に結像させるレンズ鏡筒において、
前記直角プリズムが組み込まれる保持枠には、前記第３側面が固定されかつ前記第３側面から出射された光束が通る開口が形成された台座フレームが一体に形成されており、
前記第３側面から出射された光束を受ける像側レンズを薄肉形成されたレンズ枠で保持するとともに、前記像側レンズが前記第３側面に当接するように前記レンズ枠を前記開口に嵌め込むことを特徴とするレンズ鏡筒。
【請求項２】
前記台座フレームには、前記開口に嵌め込まれた前記レンズ枠のうち物体側に位置する端部の外周を露呈させる切欠き部が形成されており、
前記直角プリズムよりも物体側に位置する物体側レンズの縁部が前記切欠き部から露呈した前記レンズ枠の外周に当接するように前記物体側レンズを配置したことを特徴とする請求項１記載のレンズ鏡筒。
【請求項３】
前記レンズ枠が金属製であることを特徴とする請求項１または２記載のレンズ鏡筒。
【請求項４】
請求項１ないし３いずれか１つ記載のレンズ鏡筒を備えたことを特徴とする撮像装置。
【請求項５】
請求項１ないし３いずれか１つ記載のレンズ鏡筒を備えたことを特徴とする光学装置。
【発明の詳細な説明】
【技術分野】
【０００１】
本発明は、直角プリズムによって光路を略直角に屈曲させるレンズ鏡筒に関し、さらに詳しくは、直角プリズム周囲のレンズの配置に関するものである。
【背景技術】
【０００２】
現在、物体を撮影し、その画像データを記録メディアに記録するデジタルカメラ等の撮像装置が急速に普及している。撮像装置には、光学系、光学系からの光束を受けて信号を出力するＣＣＤイメージセンサ等の光電変換素子、光電変換素子から出力される信号を処理して画像データを形成する信号処理手段等が設けられており、撮像装置の利便性を高めながらサイズをよりコンパクトにするために様々な工夫がなされている。なかでも焦点距離の変更が可能なズームレンズ鏡筒は撮像装置のコンパクト化や利便性等に大きくかかわるため、特に改良が試られるものの１つとなっている。
【０００３】
沈胴式のレンズ鏡筒を備えた撮像装置では、光電変換素子の受光面と垂直な直線状の光軸に合わせて各レンズが配置され、ズーム操作時にはレンズが光軸方向で進退移動する。このため沈胴式のズームレンズ鏡筒を備えた撮影装置ではズーム操作時にレンズ鏡筒が物体側に繰り出し動作されるため、例えば混雑した場所などでは取り扱いに注意しなければならない場合があった。また、沈胴式のレンズ鏡筒では、例えば光電変換素子の受光エリアと垂直な光軸に沿って全てのレンズが配置されているため、そのコンパクト化には限界があり、このため沈胴式のレンズ鏡筒を搭載した撮像装置の小型化にも限界があった。これに対して特許文献１では、撮像装置をさらにスリム化するため、光路をプリズムによって折り曲げるレンズ鏡筒が考案されている。このようなレンズ鏡筒では、物体側から順に物体と対面する物体側レンズ、物体側レンズからの光束を略直角に反射するプリズム、プリズムによって反射された光束を受ける像側レンズが配置され、物体側レンズの光軸方向が撮像装置の前面から背面に向かう方向と一致するようにレンズ鏡筒を撮影装置に内蔵させることにより、ズーム操作時に移動するレンズは撮像装置の内部で撮像装置の前面と平行な光軸方向で移動するため、ズーム操作時でもレンズ鏡筒が繰り出されることがなく、このため撮像装置の取り扱いが容易になっていた。さらに、レンズやプリズムをプラスチック製の保持枠によって保持することでコストを低減していた。
【特許文献１】特開平９−２１１２８７号公報
【発明の開示】
【発明が解決しようとする課題】
【０００４】
しかしながら、保持枠の材料としてプラスチックを想定した場合、プラスチックでは寸法精度の高い成形が困難であり、レンズ鏡筒の小型化に応じて像側レンズを小さくする場合、これに対応する保持枠を形成できず、このためにレンズを小型化できず、結果的にレンズ鏡筒を小型化できないことがあった。また、プラスチックでは強度などの面から一定の厚さ以下に肉薄化することができず、このため、光学性能を高めるためにレンズ径を大きくすると、予め決められた寸法内に収まるように保持枠を形成することができない場合があった。
【０００５】
本発明は上記の事情に鑑みてなされたものであり、その目的は、高品質な画像の取得を可能にするとともにレンズの小型化、撮影装置のコンパクト化を可能にするレンズ鏡筒を提供することにある。また、このこのようなレンズ鏡筒を備えることでよりコンパクトな撮像装置や光学装置を提供することにある。
【課題を解決するための手段】
【０００６】
上記目的を達成するために、本発明のレンズ鏡筒では、三角柱形状の直角プリズムが有する側面のうち、物体と対面する第１側面から光束を入射させ、第１側面と鋭角をなして連なる第２側面によって略直角な方向に反射された光束を第１側面と略直角をなして連なる第３側面から出射させ、第３側面から出射された光束を光電変換素子上に結像させるレンズ鏡筒であって、直角プリズムが組み込まれる保持枠には、第３側面が固定されかつ第３側面から出射された光束が通る開口が形成された台座フレームが一体に形成されており、第３側面から出射された光束を受ける像側レンズを薄肉形成されたレンズ枠で保持するとともに、像側レンズが第３側面に当接するようにレンズ枠を開口に嵌め込むことを特徴とする。
【０００７】
また、台座フレームには、開口に嵌め込まれたレンズ枠のうち物体側に位置する端部の外周を露呈させる切欠き部が形成されており、直角プリズムよりも物体側に位置する物体側レンズの縁部が切欠き部から露呈したレンズ枠の外周に当接するように物体側レンズを配置したことを特徴とする。
【０００８】
また、レンズ枠が金属製であることを特徴とする。
【０００９】
また、本発明の撮像装置では、上記のようなレンズ鏡筒を備えたことを特徴とする。
【００１０】
また、本発明の光学装置では、上記のようなレンズ鏡筒を備えたことを特徴とする。
【発明の効果】
【００１１】
本発明のレンズ鏡筒によれば、直角プリズムが組み込まれる保持枠には、第３側面が固定されかつ第３側面から出射された光束が通る開口が形成された台座フレームが一体に形成されており、第３側面から出射された光束を受ける像側レンズを薄肉形成されたレンズ枠で保持するとともに、像側レンズが第３側面に当接するようにレンズ枠を開口に嵌め込むことにより、レンズ枠を肉薄に形成することでより小さなレンズ鏡筒を提供することができる。また、薄肉形成されたレンズ枠によって像側レンズを保持することで、像側レンズのレンズ径を大きくする場合でもより小さなサイズにすることができ、これによって大型化を抑えつつ光学性能を高めたレンズ鏡筒の提供が可能となる。また、像側レンズが直角プリズムの第３側面に当接するようにレンズ枠を開口に嵌め込んだことでよりコンパクトで高性能なレンズ鏡筒を提供することができる。
【００１２】
また、台座フレームには、開口に嵌め込まれた前記レンズ枠のうち物体側に位置する端部の外周を露呈させる切欠き部が形成されており、直角プリズムよりも物体側に位置する物体側レンズの縁部が切欠き部から露呈した前記レンズ枠の外周に当接するように物体側レンズを配置したことにより、像側レンズの縁部をレンズ枠の外周に当接させたことで物体側レンズから直角プリズムに向かう方向のサイズを小さくしたレンズ鏡筒を提供することができ、このようなレンズ鏡筒を搭載した撮像装置をよりコンパクトにすることが可能となる。また、直角プリズム、像側レンズに対して物体側レンズを正確に配置することができ、これによって光学系の性能が高まる。
【００１３】
また、レンズ枠が金属製であることにより、容易に薄肉化できるるとともにより高い精度でレンズ枠を形成することができ、像側レンズを小さくした場合でも正確に像側レンズを保持することが可能となる。また、レンズを大きくした場合でも予め決められた寸法内に収まるようにすることができる。
【００１４】
また、撮像装置に上記のようなレンズ鏡筒を備えたことにより、物体側レンズから直角プリズムに向かう方向が撮像装置の前面から背面に向かう方向と一致するようにレンズ鏡筒を内蔵することで、よりスリムな撮像装置を提供することができる。
【００１５】
また、光学装置に上記のようなレンズ鏡筒を備えたことにより、例えば、プロジェクタや光ピックアップ装置等の光学装置を小型化することができる。
【発明を実施するための最良の形態】
【００１６】
図１及び図２に本発明のレンズ鏡筒を搭載したデジタルカメラ（撮像装置）の外観斜視図を示す。図１に示すように、デジタルカメラ２の前面中央には、ストロボ光を投光するストロボ発光部５が設けられ、ストロボ発光部５の横には撮影レンズを露呈させるための開口７が設けられている。デジタルカメラ２の上面にはシャッタボタン１０が設けられ、シャッタボタン１０の押圧に応じて物体の画像データの形成が開始される。デジタルカメラ２には画像データを記録するための記録メディアが装着されており、シャッタボタン１０の押圧に応じて形成された物体の画像データは記録メディアに記録される。
【００１７】
デジタルカメラ２の背面を図２に示す。デジタルカメラ２の背面には、例えば２．５インチの液晶パネル１３が設けられ、液晶パネル１３の横には各種操作ボタン１５が設けられている。ユーザは、液晶パネル１３に表示されたメニューから目的の項目を選択実行するなどしてデジタルカメラ２を操作する。デジタルカメラ２は、所定の画質で静止画を撮影する静止画撮影モード、所定のフレームレートで動画を撮影する動画撮影モード、ストロボ装置を作動させて静止画を撮影するストロボ撮影モード等、各種モードに設定することができる。静止画撮影モードに設定されると液晶パネル１３には一定の時間ごとに物体画像が更新されるスルー画像が表示され、ユーザはこのスルー画像を観察することでスムーズに撮影を実行できる。なお、図示しないがデジタルカメラ２の側面には家庭用のコンセントから電力供給を受けるための入力コネクタや、ＵＳＢ規格に対応したＵＳＢポート等が設けられている。
【００１８】
デジタルカメラ２の内部には後述するレンズ鏡筒が備えられており、開口７からは物体側レンズである第１レンズ３２（図４参照）が露呈している。レンズ鏡筒はデジタルカメラ２の前面から背面に向かう方向の光路を有し、この光路はレンズ鏡筒の内部でデジタルカメラ２の底部に向かうように変換される。
【００１９】
図３にデジタルカメラ２の電気的な構成を概略的に示したブロック図を示す。デジタルカメラ２には、後述するレンズ鏡筒２０、図５で説明するＣＣＤイメージセンサ（光電変換素子）６８、ＣＣＤイメージセンサ６８の駆動を制御するタイミングジェネレータ８、ＣＣＤイメージセンサ６８から出力される電気信号を処理する信号処理回路１４、信号処理回路１４で形成された画像データを補正する画像補正回路９、液晶パネル１３の駆動を制御するＬＣＤコントローラ６、画像データを記録する記録メディア１６、レンズ鏡筒２０に組み込まれたモータの駆動を制御するモータコントローラ１８、及びデジタルカメラ２の動作全般を制御するＣＰＵ１９が備えられている。
【００２０】
デジタルカメラ２が静止画撮影モードに設定されると、液晶パネル１３には被写体の画像が一定時間ごとに更新されるスルー画像が表示され、シャッタボタン１０の押圧に応じて画像データの形成が開始される。画像データはＳＤＲＡＭ１１に一時的に蓄積された後、デジタルカメラ２に装着された記録メディア１６に記録される。
【００２１】
図４にデジタルカメラ２内に備えられたレンズ鏡筒の分解斜視図を示す。レンズ鏡筒２０内には第１群レンズＧ１、直角プリズムであるプリズム３０、第２群レンズＧ２、第３群レンズＧ３、第４群レンズＧ４から構成される光学系が設けられている。これらのレンズ及びプリズムは、プリズム保持枠（保持枠）２３、第２群保持フレーム２４、第３群保持フレーム２５、第４群保持フレーム２６、シャッタ装置２８、イメージセンサ保持枠２９等によって保持される。
【００２２】
プリズム保持枠２３には第１レンズ３２及び後述する第２、第３レンズ５１、５２（図４参照）からなる第１群レンズＧ１とプリズム３０とが保持される。第１レンズ３２が有する第１の光軸Ｌ１と第２、第３レンズ５１、５２が有する第２の光軸Ｌ２とは直角をなし、プリズム３０は第１の光軸Ｌ１に沿って第１レンズ３２から入射する光束を第２レンズ５１に向かって反射する。第１レンズ３２は第１レンズ固定枠３７に嵌め込まれ、第１レンズ３２が嵌め込まれた第１レンズ固定枠３７は押さえ具３９によってプリズム保持枠２３に組み付けられ、これにより第１レンズ３２がプリズム３０に対して固定される。なお、第１の光軸Ｌ１と第２の光軸Ｌ２のなす角度は正確に直角でなくても構わない。
【００２３】
第２群保持フレーム２４は３つのレンズからなる第２群レンズＧ２を保持し、第２の光軸Ｌ２方向に従って移動自在となるようにプリズム保持枠２３内に嵌入される。ズームモータユニット４１は、動力供給用のステッピングモータとステッピングモータの駆動に応じて第２群保持フレーム２４を第２の光軸Ｌ２方向に沿って移動させるための駆動機構等から構成され、プリズム保持枠２３への組み込み時に第２群保持フレーム２４と組み合わせられる。これによって第２群保持フレーム２４はズームモータユニット４１の動作に応じて第２の光軸Ｌ２方向に沿って移動する。
【００２４】
第３群保持フレーム２５は、第３群レンズＧ３を保持し、第３群レンズＧ３の光軸が第２の光軸Ｌ２と一致するようにプリズム保持枠２３と組み合わせられる。第３群レンズＧ３の像面側には絞り機能を有するシャッタ装置２８が配置され、シャッタ装置２８にはステッピングモータ、及びテッピングモータの動作に応じてシャッタ羽根を位置させるシャッタ羽根駆動機構とが組み込まれている。
【００２５】
第４群保持フレーム２６は３つのレンズから構成される第４群レンズＧ４を保持し、第２の光軸Ｌ２方向に移動自在となるようにイメージセンサ保持枠２９に嵌入される。イメージセンサ保持枠２９には受光エリアが第２の光軸Ｌ２と垂直に交わるようにＣＣＤイメージセンサ（図５参照）６８が保持される。フォーカスモータユニット４３は、動力供給用のステッピングモータとステッピングモータの駆動に応じて第４群保持フレーム２６を第２の光軸Ｌ２に沿って移動させるための駆動機構等から構成され、イメージセンサ保持枠２９への組み込み時に第４群保持フレーム２６と組み合わせられる。これによって第４群保持フレーム２６は第２の光軸Ｌ２方向に移動自在となる。
【００２６】
第２群保持フレーム２４が移動自在に嵌入されたプリズム保持枠２３と、第４群保持フレーム２６が移動自在に嵌入されたイメージセンサ保持枠２９とは、第３群保持フレーム２５及びシャッタ装置２８を間に挟んで光密に組み合わせられ、これによってレンズ鏡筒２０が形成される。
【００２７】
図５にレンズ鏡筒２０を第１の光軸Ｌ１に沿って縦に切断した断面図を示す。プリズム保持枠２３は、物体側から第１レンズ３２、第２レンズ５１、第３レンズ５２からなる第１群レンズＧ１とプリズム３０とを保持している。第１レンズ３２とプリズム保持枠２３との間には遮光絞り４５が設けられている。なお、第２、第３レンズ５１、５２では、第１レンズ３２からの光束がプリズム３０で反射された際に生じる諸収差が補正されている。
【００２８】
第３レンズ５２の像面側には、第４、第５、第６レンズ５５、５６、５７からなる第２群レンズＧ２を保持した第２群保持フレーム２４が第２の光軸Ｌ２方向に移動自在に配置されており、第４〜第６レンズ５５〜５７はズーム時に移動する。第２群保持フレーム２４の像面側には第７レンズ５９からなる第３群レンズＧ３を保持した第３群保持フレーム２５が配置され、その像面側には絞り機能を有するシャッタ装置２８が配置されている。
【００２９】
シャッタ装置２８の像面側にはイメージセンサ保持枠２９が配置され、イメージセンサ保持枠２９の内部には第８、第９、第１０レンズ６１、６２，６３から構成される第４群レンズＧ４を保持した第４群保持フレーム２６が第２の光軸Ｌ２方向で移動自在に嵌入されている。第１０レンズ６３の像面側にはゴーストの発生等を抑えるために絞り板６５が配置され、そのさらに像面側には余分な色成分をカットするローパスフィルタ６７、ＣＣＤイメージセンサ６８が順に固定されている。
【００３０】
第２群保持フレーム２４はズーム時に移動し、第４群保持フレーム２６はズーム時及びフォーカス時に移動するようにモータコントローラ（図示省略）によって制御されている。例えば、ズーム時では第２群保持フレーム２４と第４群保持フレーム２６とは連動する。広角ズームの場合では、第２群レンズＧ２がプリズム３０側に移動するとともに第４群レンズＧ４がＣＣＤイメージセンサ６８側に移動し、望遠ズームの場合には第２群レンズＧ２と第４群レンズＧ４とが第３群レンズＧ３側に移動する。
【００３１】
図６にプリズム保持枠２３を拡大し、説明しやすいようにその一部を切断分離した斜視図を示す。プリズム保持枠２３には、第１レンズ３２からの光束が通る第１開口２３ａ、プリズム３０が載置されるプリズム保持台座（台座フレーム）２３ｂ、第２の光軸Ｌ２が通る第２開口（開口）２３ｃ、第１レンズ３２を安定して保持するための３つの当接部２３ｄ、及び切欠き部２３ｅとが形成され、プリズム３０、第１レンズ３２、レンズ保持枠（レンズ枠）５０等が組み合わせられる。
【００３２】
プリズム３０は、三角柱形状に形成され、その側面は第１レンズ３２からの光束が通過する入射面（第１側面）３０ａ、入射面３０ａと鋭角をなして連なるとともに入射面３０ａを通過した光束を直角に反射する反射面（第２側面）３０ｂ、入射面３０ａと直角をなして連なるとともに反射面３０ｂで反射された光束を外部に出射する出射面（第３側面）３０ｃとからなる。プリズム３０は出射面３０ｃがプリズム保持台座２３ｂに固定され、その入射面３０ａが第１開口２３ａと対向し、かつ出射面３０ｃが第２開口２３ｃと対向する。出射面３０ｃとプリズム保持台座２３ｂとの間にはフレア等を発生させる余分な光をカットするとともに、出射面３０ｃと第２レンズ５１との間に一定のエアギャップを形成するために板状の補正シート４７が設けられる。補正シート４７には出射面３０ｃから出射した光束が通る開口４７ａが設けられ、開口４７ａの中心を第２の光軸Ｌ２が通るように補正シート４７はプリズム保持台座２３ｂ上に配置される。
【００３３】
レンズ保持枠５０は、例えばステンレスなどの金属製であり、絞り加工などによって肉薄な円環状に形成されている。レンズ保持枠５０を金属製としたことで成形時の誤差は数μｍ以内に抑えられ、プラスチック製に比べて高精度なレンズ保持枠の供給が可能となる。レンズ保持枠５０は、第１群レンズＧ１のうち像側レンズである第２、第３レンズ５１、５２を保持し、プリズム保持枠２３に形成された第２開口２３ｃに嵌め込まれる。レンズ保持枠５０が第２開口２３ｃに嵌め込まれると第２レンズ５１は補正シート４７を介してプリズム３０の出射面３０ｃに当接する。第２開口２３ｃの第１開口２３ａ側の端部には切欠き部２３ｅが形成されており、第２開口２３ｃにレンズ保持枠５０が嵌め込まれると切欠き部２３ｅからは、レンズ保持枠５０のうち物体側に位置した端部の外周が露呈する。なお、この実施形態ではレンズ保持枠を金属で形成したが、レンズ保持枠を形成する材料はこれに限らず、例えばカーボンや樹脂でも構わない。カーボンなどのように薄くて丈夫でありかつ軽い材料を用いることでよりコンパクトで軽量なレンズ鏡筒を提供することができる。
【００３４】
第１レンズ３２は遮光絞り４５を介してプリズム保持枠２３に組み合わせられる。遮光絞り４５は円形の薄い板状であり、第１レンズ３２がプリズム保持枠２３に取り付けられる際、遮光絞り４５の物体側の表面は第１レンズ３２の縁部に接触し、像面側の表面は３つの当接部２３ｄによって支持される。
【００３５】
レンズ保持枠５０が第２開口２３ｃに嵌め込まれたプリズム保持枠２３の切欠き部２３ｅからはレンズ保持枠５０の外周が露呈しており、第１レンズ３２が第１レンズ固定枠３７によってプリズム保持枠２３に固定される際、第１レンズ３２の縁部は遮光絞り４５を介してレンズ保持枠５０の外周に当接する。
【００３６】
図７にプリズム保持枠２３を光軸Ｌ１に沿って縦に切断した部分断面図を示す。レンズ保持枠５０の内周には、第２レンズ５１を保持するための保持突起５０ａ、第３レンズ５２を保持するための保持突起５０ｂとが形成されている。第２、第３レンズ５１、５２は、それぞれの縁部が保持突起５０ａ、５０ｂに係合し、接着剤等によって接着されることによりレンズ保持枠５０に固定され、レンズ保持枠５０は第２開口２３ｃ内に組み込まれる。レンズ保持枠５０が第２開口２３ｃ内に組み込まれると、プリズム３０の出射面３０ｃと第２レンズ５０とは補正シート４７を介して当接し、開口４７と対面する部分では、出射面３０ｃと第２レンズ５１との間に一定の空隙が形成される。
【００３７】
第１レンズ３２が第１レンズ固定枠３７によってプリズム保持枠２３に固定されると、第１レンズ３２の下側の縁部が遮光絞り４５を介してレンズ保持枠５０の外周に当接する。遮光絞り４５の内周縁は第１開口２３ａの内側に突出し、これによって余分な光をカットする。このようにレンズ保持枠５０を加工の容易な金属で形成することでレンズ保持枠５０の肉厚をより薄く加工でき、小さなレンズでも高い精度で保持することができる。また、第１レンズ３２の縁部をレンズ保持枠５０に当接させることで第１レンズ３２と第２レンズ５１との相対的な位置をより直接的に定めて光学系の性能を高めることができ、さらに、第１の光軸Ｌ１方向のサイズがよりコンパクトなレンズ鏡筒２０を提供することができる。
【００３８】
上記構成の作用について説明する。図８に示すように、デジタルカメラ２内には第１の光軸Ｌ１がデジタルカメラ２の前面から背面に向かい、かつＣＣＤイメージセンサ６８がデジタルカメラ２の底部側に位置するようレンズ鏡筒２０が配置される。レンズ鏡筒２０では、第２群保持フレーム２４は第２群レンズＧ２を保持するとともに、第２の光軸Ｌ２方向で移動自在にプリズム保持枠２３内に嵌入される。第４群保持フレーム２６は第４群レンズＧ４を保持するとともに第２の光軸Ｌ２方向に移動自在となるようにイメージセンサ保持枠２９内に組み込まれる。イメージセンサ保持枠２９は第３群レンズＧ３を保持する第３群保持フレーム２５とシャッタ装置２８とを介してプリズム保持枠２３と組み合わせられてレンズ鏡筒２０が構成される。
【００３９】
プリズム保持枠２３にプリズム３０を保持するプリズム保持台座２３ｂが一体に形成され、プリズム保持台座２３ｂにはプリズム３０の出射面３０ｃが固定される。第２、第３レンズ５１、５２は金属製の肉薄なレンズ保持枠５０によって保持され、このレンズ保持枠５０はプリズム保持枠２３に形成された第２開口２３ｃに嵌め込まれる。プリズム保持台座２３ｅに形成された切欠き部２３ｅから露呈したレンズ保持枠５０の外周には遮光絞り４５を介して第１レンズ３２の縁部が当接する。このように、コンパクトなレンズ鏡筒２０をデジタルカメラ２に内蔵させることによってよりスリムなデジタルカメラ２を提供することができる。
【００４０】
なお、上記の実施形態では４群１０枚のレンズと１つのプリズムとから構成される光学系が設けられたレンズ鏡筒２０を例示したが、レンズ枚数やレンズ群の数はこれに限らず、例えば４群９枚構成や、５群１１枚構成などにしても構わない。
【００４１】
なお、上記の実施形態では本発明のレンズ鏡筒が内蔵されたデジタルカメラを例示したが、撮像装置はこれに限らない。例えば携帯電話や携帯型情報端末等に本発明のレンズ鏡筒を備えるようにしても構わない。
【００４２】
また、上記の実施形態では本発明をデジタルカメラに実施したものを例示したが、本発明はこれに限らず、例えば複数の原色光から画像光を合成してスクリーンに投影するプロジェクタなどの投影装置、ＤＶＤ、ＣＤ−ＲＯＭ、ＭＤ等の光ピックアップ装置、デジタルカメラや銀塩カメラ等の撮影装置等の光学装置にも利用することができる。例えば、対物レンズ（物体側レンズ）からの光束が直角プリズムの第１側面に入射され、第２側面で直角に折り曲げられて第３側面からコリメータレンズ（像側レンズ）に向かって出射され、コリメータレンズからの光束を受光素子（光電変換素子）で受ける光ピックアップ装置で、コリメータレンズを薄肉形成されたレンズ枠で保持し、直角プリズムを保持する保持枠に形成された開口にレンズ枠を嵌め込むことで、よりコンパクトな光ピックアップ装置を提供することができる。
【図面の簡単な説明】
【００４３】
【図１】デジタルカメラを前側から観察した外観斜視図である。
【図２】デジタルカメラを背面側から観察した外観斜視図である。
【図３】デジタルカメラの電気的な構成を概略的に示したブロック図である。
【図４】デジタルカメラに搭載されたレンズ鏡筒を大まかに分解した分解斜視図である。
【図５】第１の光軸と第２の光軸とを含む面でレンズ鏡筒を切断した断面図である。
【図６】プリズム保持枠の一部を切断分離し、プリズム保持枠周辺の構造を説明する分解斜視図である。
【図７】プリズム保持枠を第１の光軸及び第２の光軸を含む面で切断した部分断面図である。
【図８】第１の光軸と第２の光軸とを含む面でデジタルカメラを切断した断面図である。
【符号の説明】
【００４４】
２  デジタルカメラ（撮像装置）
２０  レンズ鏡筒
２３  プリズム保持枠（保持枠）
２３ａ  第１開口
２３ｂ  プリズム保持台座（台座フレーム）
２３ｃ  第２開口（開口）
２３ｅ  切欠き部
２４  第２フレーム
２５  第３フレーム
２６  第４フレーム
２９  イメージセンサ保持枠
３０  プリズム（直角プリズム）
３０ａ  入射面（第１側面）
３０ｂ  反射面（第２側面）
３０ｃ  出射面（第３側面）
３２  第１レンズ（物体側レンズ）
５０  レンズ保持枠（レンズ枠）
５１、５２  第２、第３レンズ（像側レンズ）
６８  ＣＣＤイメージセンサ（光電変換素子）
【図１】
2006091405.tif 000003
【図２】
2006091405.tif 000004
【図３】
2006091405.tif 000005
【図４】
2006091405.tif 000006
【図５】
2006091405.tif 000007
【図６】
2006091405.tif 000008
【図７】
2006091405.tif 000009
【図８】
2006091405.tif 000010